(57)【特許請求の範囲】
【請求項１】
一端部の左右両側に設けた一対のヒンジ部を介して本体ケースに連結され、揺動可能な他端部付近の裏面に、左右に間隔を開けて突出する第１，第２の十字リブを有するボタン部と、前記ボタン部の裏側に配置され、一端部の左右両側に設けた一対のヒンジ部を介して本体ケースに連結され、揺動可能な他端部から切り込んだスリットにより３つの部分に分割され、その両側の部分に前記第１，第２の十字リブの先端が対向し、中央部分の裏面に突出する第３の十字リブを有するとともに、前記ヒンジ部近傍に分割された３つの部分にわたる肉厚部を有する可動部と、回路基板上に配置され、前記第３の十字リブの先端が対向するタクトスイッチとを備えており、前記ボタン部を押すと、前記第１，第２の十字リブが前記可動部の３分割された両端部を押し、この両端部の変位が前記肉厚部により可動部の中央部に伝わり、前記可動部の中央部分の第３の十字リブがタクトスイッチを押して動作させることを特徴とするハンズフリーボタン装置。
【発明の詳細な説明】
【０００１】
【発明の属する技術分野】
本発明は、住宅用インターホンなどに適用され、ハンドセットがなく、肘等で直接押す広いボタン面積を有するハンズフリーボタン装置に関するものである。
【０００２】
【従来の技術】
従来の押しボタン構造は、例えば実開平５−７２０２５号に記載されたものが知られている。図３はその押しボタン構造を示したもので、ケーシング21内部にスイッチ22が形成された基板23が配設され、スイッチ22の押圧部24およびヒンジ部25ａを有する押しボタン25を備えた押しボタン構造において、ヒンジ部25ａの所要量以上の移動を規制する支持部26がヒンジ部25ａあるいはその近傍部材に形成されている構造となっている。
【０００３】
【発明が解決しようとする課題】
しかしながら、この押しボタン構造においては、肘等で押すことのできる広い面積が必要とされるが、面積の広い押しボタンは、ボタンの端部を押した場合とボタンの中央部を押した場合とでストロークが変わるので、端部を押すとタクトスイッチがオンされないことがあるという問題があり、ボタンの面積を十分広くとることが困難であった。さらに、タクトスイッチを直接押す構造の場合、ボタンを強く(無理に)押すと、スイッチが破損してしまうというおそれがあった。
【０００４】
本発明は、このような従来技術の問題点を解決するもので、肘等で押すことができる広い押し面積を持ち、タクトスイッチを直接ボタン部で押すことなく、つまり、スイッチに直接負荷をかけないで、しかも、ボタン部の端部を押した場合でもスイッチを正常に動作させることができる構造を有するハンズフリーボタン装置を提供することを目的とする。
【０００５】
【課題を解決するための手段】
この目的を達成するために、本発明のハンズフリーボタン装置は、一端部の左右両側に設けた一対のヒンジ部を介して本体ケースに連結され、揺動可能な他端部付近の裏面に、左右に間隔を開けて突出する第１，第２の十字リブを有するボタン部と、このボタン部の裏側に配置され、一端部の左右両側に設けた一対のヒンジ部を介して本体ケースに連結され、揺動可能な他端部から切り込んだスリットにより３つの部分に分割され、その両側の部分に前記第１，第２の十字リブの先端が対向し、中央部分の裏面に突出する第３の十字リブを有するとともに、前記ヒンジ部近傍に分割された３つの部分にわたる肉厚部を有する可動部と、回路基板上に配置され、前記第３の十字リブの先端が対向するタクトスイッチとを備えた構成とする。
【０００７】
この構成によれば、ボタン部を押すと、第１，第２の十字リブが可動部の３分割された両端部を押し、この両端部の変位が肉厚部により可動部の中央部に伝わり、それにより可動部の中央部分の第３の十字リブがタクトスイッチを押して動作させることになる。従って、タクトスイッチを直接ボタン部で押すことなく、スイッチに直接負荷をかけることがないので、スイッチを破損することはない。また、ボタン部の端部を押した場合、可動部の３つの部分のうち左右のいずれか１つの部分が第１または第２の十字リブに押されても、分割された３つの部分にわたって設けた肉厚部のために、第３の十字リブがタクトスイッチを正常に押して動作させるので、ボタン部に肘等で押すことができる広い押し面積を持たせることができる。
【０００８】
【発明の実施の形態】
以下、本発明の実施の形態について図面を参照して詳細に説明する。
図１および図２は、本発明の一実施の形態におけるハンズフリーボタン装置を示したものであり、図２は図１(a)のＡ−Ａ断面図である。
【０００９】
図１，２において、１は本体ケース、２はハンズフリーボタン部(以下単にボタン部という)である。ボタン部２は、その一端部の左右両側に設けた一対のヒンジ部３を介して本体ケース１に連結されており、揺動可能な他端部付近の裏面に、左右に間隔を開けて突出した第１，第２の十字リブ４a，４bを有している。
【００１０】
５はこのボタン部２の裏側に配置された可動部であり、一端部の左右両側に設けた一対のヒンジ部６を介して本体ケース１に連結されている。可動部５は揺動可能な他端部から切り込んだスリット７により３つの部分５a，５b，５cに分割され、その両側の部分５aおよび５cにボタン部２の裏面に設けた第１，第２の十字リブ４a，４bの先端が対向している。また、中央部分５bの裏面には突出する第３の十字リブ８が設けられている。９は回路基板10上に配置されたタクトスイッチで、可動部５の裏面から突出した第３の十字リブ８の先端が対向している。
【００１１】
ここで、可動部５は、本体ケースに連結された一対のヒンジ部６の近傍で、スリット７により分割された３つの部分にわたって肉厚部11が形設されている。
【００１２】
次に、本実施の形態における動作について説明する。ボタン部２は、肘等で押すことができる程度に広い面積を持っている。そこで、肘等で押されると、ボタン部２は一端部に設けたヒンジ部３を中心にして他端部が揺動し、他端部付近の裏面に配置された左右一対の第１，第２の十字リブ４a，４bが可動部５の３分割された両側部分５a，５cを押す。可動部５は、ヒンジ部６を中心に揺動し、その中央部分５ｂの裏面から突出した第３の十字リブ８がタクトスイッチ９を押し、タクトスイッチ９は動作する。
【００１３】
以上のように構成された本実施の形態では、ボタン部２を押すと、第１，第２の十字リブ４a，４bが可動部５の３分割された両端部を押し、さらに可動部の中央部分の第３の十字リブ８がタクトスイッチ９を押して動作させるので、タクトスイッチ９を直接ボタン部２で押すことはなく、スイッチ９に直接負荷をかけることがないので、スイッチを破損することはない。また、ボタン部２の端部を押して、可動部５の３つの部分のうち左右いずれか１箇所の部分が第１または第２の十字リブに押されても、肉厚部11を設けているために、押された部分とともに第３の十字リブ８も変位し、タクトスイッチ９を正常に押して動作させる。従って、ボタン部に肘等で押すことができる広い押し面積を持たせることができる。
【００１４】
【発明の効果】
以上説明したように本発明によれば、肘等で押すことのできる広い押し面積を持ち、タクトスイッチを直接ボタン部で押すことがないので、スイッチを無理に押して破損させるということはなく、しかも、ボタン部の端部を押した場合でもスイッチを正常に動作させることができるという効果を奏する。
【図面の簡単な説明】
【図１】本発明の一実施の形態におけるハンズフリーボタン装置の断面図および正面図である。
【図２】図１(a)のＡ−Ａ断面図である。
【図３】従来例の断面図である。
【符号の説明】
１…本体ケース、  ２…ハンズフリーボタン部(ボタン部)、  ３,６…ヒンジ部、  ４a,４b…第１,第２の十字リブ、  ５…可動部、  ７…スリット、  ８…第３の十字リブ、  ９…タクトスイッチ、  10…回路基板、  11…肉厚部。
【図１】
0003817310.tif 000002
【図２】
0003817310.tif 000003
【図３】
0003817310.tif 000004